(57)【特許請求の範囲】
【請求項１】
箱形の荷台の搬出入口と建物の開口部とが対向する作業位置に前記荷台を配置したときの前記搬出入口と前記建物の前記開口部との間の作業領域を外部から遮蔽するシェルターであって、
前記開口部の幅方向に並んで配置され前記開口部を塞ぐ一対の扉体と、
上方から前記作業領域を外部と遮蔽する上側遮蔽部材と、
下方から前記作業領域を外部と遮蔽する下側遮蔽部材と、を備え、
一対の前記扉体は、戸先側辺部が前記幅方向に沿って前記幅方向の外側に向かってスライドするとともに戸尻側辺部が前記開口部における開口面に対して垂直な前後方向に沿って前記搬出入口側に向かってスライドすることで、一対の前記扉体が前記開口部を塞ぐ閉状態から、前記戸先側辺部が前記開口部の側縁部に位置するとともに前記扉体が前記開口面に対して垂直となる状態で前記開口部が開放される開状態へと動作可能であり、
さらに、前記開状態において前記扉体における戸先側を支点として各前記扉体が回動することで、前記開状態から、前記戸尻側辺部が前記荷台の側面に当接する状態で前記扉体が側方から前記作業領域を外部と遮蔽する遮蔽状態へと動作可能であるシェルター。
【請求項２】
前記上側遮蔽部材として、前記開口部の上方に配置された庇と、前記扉体の上部から前記庇の下面部まで延びる状態で各前記扉体に設けられ、前記遮蔽状態において各前記扉体の上辺部と前記庇の下面部との間を塞ぐ一対の遮蔽パネルと、を備える請求項１に記載のシェルター。
【請求項３】
前記上側遮蔽部材として、前記庇の下面部に設けられ、カーテンを巻き取った巻取り状態から、前記庇の下面部から前記荷台の上面にわたって、前記遮蔽状態における一対の前記扉体の間及び一対の前記遮蔽パネルの間を前記カーテンが覆う繰出し状態へと動作可能なロールカーテンを備える請求項２に記載のシェルター。
【請求項４】
前記下側遮蔽部材として、前記扉体の下辺部の高さ位置と略同一の床面部と前記作業位置における荷台に対して当接する前面部とを有するプラットホームと、平面視において前記プラットホームと前記荷台と前記扉体とから画定される隙間と略同型の部分を有する遮蔽パッドと、を備える請求項１〜３のいずれか１項に記載のシェルター。
【請求項５】
前記遮蔽パッドは、前記扉体の前記戸尻側辺部における前記搬出入口側の下縁部にそれぞれ設けられている請求項４に記載のシェルター。
【請求項６】
請求項１〜５のいずれかに記載のシェルターの使用方法であって、
前記荷台を前記作業位置に設置し、
前記閉状態にある前記扉体を前記開状態へと開動作し、
前記開状態から前記遮蔽状態へと前記扉体を回転させて、前記作業領域を側方から外部と遮蔽し、
前記上側遮蔽部材により前記作業領域を上方から外部と遮蔽し、
前記下側遮蔽部材により前記作業領域を下方から外部と遮蔽する使用方法。
【発明の詳細な説明】
【技術分野】
【０００１】
本発明は、箱形の荷台の搬出入口と建物の開口部とが対向する作業位置に前記荷台を配置したときの前記搬出入口と前記建物の前記開口部との間の作業領域を外部から遮蔽するシェルターに関する。
【背景技術】
【０００２】
空調を行う冷凍倉庫や食品加工工場などの建物に対しトラックの荷台から物品を搬出入する場合、建物内から冷気が漏れたり、外気と共に虫やほこりが建物内に侵入することを防ぐため、荷台と建物の開口部との間の作業領域を外部から遮蔽する必要がある。
【０００３】
そして、そのための手段として、開口部周縁にパッドを設けて、荷台の搬出入口と建物の開口部とが対向する状態で荷台の後面をこのパッドに圧着させることで荷台と建物の開口部との隙間を遮蔽するドックシェルターや（特許文献１参照）、建物の開口部の周りから建物の外側に延びるトンネル状の作業室を設けて作業室にトラックの荷台を収容し、荷台と作業室の壁面との間をエアーにより膨らむエアーパッドを膨らませて密閉し、作業領域を外部から遮蔽するエアーシェルター、同じく作業室にトラックの荷台を収容し、荷台と作業室の壁面との間をシート部材により密閉し、作業領域を外部から遮蔽するウェザーシールなどが用いられている。
【先行技術文献】
【特許文献】
【０００４】
【特許文献１】特開２００２−５４８７４号公報
【発明の概要】
【発明が解決しようとする課題】
【０００５】
しかし、上記従来のドックシェルターでは、荷台圧着時にパッドに大きな力がかかるのでその強度を高めるための鉄骨等の補強部材が必要となり、またそれでもパッドが変形しやすく耐用期間が短くなっていたため、補強部材の費用に加えて交換に要する費用も相俟ってコストが嵩む問題があった。
【０００６】
さらに、荷台圧着前には荷台の搬出入口の扉を前もって開ける必要があり、搬出入口の扉を開けることにより、トラックの荷台内で空調を行っている場合には、荷台内から冷気が漏れたり、外気と共に虫やほこりが荷台内に侵入することとなって、温度管理や防虫防塵対策上問題があった。
【０００７】
また、上記のエアーシェルターやウェザーシールでは、上記のドッグシェルターと違い、作業領域を遮蔽してから荷台の搬出入口の扉を開けることができるが、トンネル状の作業室を設けなければならずこれに伴いコストが嵩んでいた。
【０００８】
さらに、作業領域を外部から遮蔽したとしても、遮蔽前の段階で作業室内に虫やほこりがたまっている虞があり防虫防塵対策上問題があった。また、夏場など気温が高い時期には、作業室内に熱がたまり作業室内の温度が極めて高くなり、作業領域を遮蔽したとしても、作業室内にたまった熱気が建物内、又は、荷台内に侵入することとなり温度管理上問題があった。
【０００９】
この実情に鑑み、本発明の主たる課題は、上記したコスト上の問題、温度管理・防虫防塵対策上の問題を回避できる新たな構成のシェルターを提供することにある。
【課題を解決するための手段】
【００１０】
本発明に係るシェルターの特徴構成は、
箱形の荷台の搬出入口と建物の開口部とが対向する作業位置に前記荷台を配置したときの前記搬出入口と前記建物の前記開口部との間の作業領域を外部から遮蔽するシェルターであって、
前記開口部の幅方向に並んで配置され前記開口部を塞ぐ一対の扉体と、
上方から前記作業領域を外部と遮蔽する上側遮蔽部材と、
下方から前記作業領域を外部と遮蔽する下側遮蔽部材と、を備え、
一対の前記扉体は、前記戸先側辺部が前記幅方向に沿って前記幅方向の外側に向かってスライドするとともに前記戸尻側辺部が前記開口部における開口面に対して垂直な前後方向に沿って前記搬出入口側に向かってスライドすることで、一対の前記扉体が前記開口部を塞ぐ閉状態から、前記戸先側辺部が前記開口部の側縁部に位置するとともに前記扉体が前記開口面に対して垂直となる状態で前記開口部が開放される開状態へと動作可能であり、
さらに、前記開状態において前記扉体における戸先側を支点として各前記扉体が回動することで、前記開状態から、前記戸尻側辺部が前記荷台の側面に当接する状態で前記扉体が側方から前記作業領域を外部と遮蔽する遮蔽状態へと動作可能である点にある。
【００１１】
上記構成によれば、扉体を開状態から遮蔽状態へ動作させて、扉体における戸尻側辺部を荷台の側面に当接させることで、側方から作業領域を外部と遮蔽することができる。そして、上側遮蔽部材により、上方から前記作業領域を外部と遮蔽することができ、下側遮蔽部材により下方から作業領域を外部と遮蔽することができる。つまり、一対の扉体と上側遮蔽部材と下側遮蔽部材とを備えるシェルターにより、作業領域を確実性高く外部から遮蔽することができる。
【００１２】
また、扉体の開閉機構が例えば観音開きである場合には、荷台を作業位置に設置した後は、荷台が邪魔になって扉体を開状態にできないため、荷台を作業位置に設置する前に扉体を開状態にする必要があり、手間を要する。これに対し、上記構成では、戸先側辺部が幅方向に沿ってスライドするとともに戸尻側辺部が開口部における開口面に対して垂直な前後方向に沿ってスライドすることで、戸先側辺部が開口部の側縁部に位置するとともに扉体が開口面に対して垂直となる開状態へと動作させるスライド式の開閉機構をとっている。これによれば、荷台を作業位置に設置した後に、荷台が邪魔になることなく扉体を開状態にすることができるため、荷台を作業位置に設置する前に扉体を開状態とすることなく、そのまま荷台を作業位置へ設置すればよく、設置作業に要する手間を効果的に低減することができる。このように、上記構成によれば、容易かつ確実性高く作業領域を外部から遮蔽することができる。
【００１３】
また、上記構成によれば、上記従来のドックシェルターのように、作業領域の遮蔽用の部材（扉体）を荷台に圧着させるものではないので、遮蔽用部材に直接的に大きな力が加えられない。このため補強部材が不要であり、また、耐用期間を長くすることができる。また、上記のエアーシェルターやウェザーシールのようにトンネル状の作業室を設ける必要がなく、これにより、補強部材やシェルターを構成する部材の交換、作業室を設けることに伴う費用が必要ない。さらに、上記構成では、建物の開口部を塞ぐための扉体を遮蔽用部材と兼用しているため、扉体と遮蔽用部材とをそれぞれ別個に設けていた上記従来の手段に比べ、コストを効果的に抑えることができる。また、扉体と上側遮蔽部材と下側遮蔽部材とで荷台と開口部との間の空間を遮蔽してから荷台の搬出入口を開けることができ、また、作業室を設ける必要がなく熱・虫・ほこりなどがたまることがないため、上記従来の手段のような温度管理・防虫防塵対策上の問題を回避することができる。
【００１４】
このように、上記構成によれば、上記したコスト上の問題、温度管理・防虫防塵対策上の問題を効果的に回避しながら、容易かつ確実性高く作業領域を外部から遮蔽することができる。
【００１５】
本発明に係るシェルターの更なる特徴構成は、前記上側遮蔽部材として、前記開口部の上方に配置された庇と、前記扉体の上部から前記庇の下面部まで延びる状態で各前記扉体に設けられ、前記遮蔽状態において各前記扉体の上辺部と前記庇の下面部との間を塞ぐ一対の遮蔽パネルと、を備える点にある。
【００１６】
上記構成によれば、扉体を遮蔽状態へと動作させるのみで、庇と遮蔽パネルとが作業領域を上方から外部と遮蔽する状態となるから、別途遮蔽用の部材を設置する場合における作業領域を上方から外部と遮蔽するのに要する手間を省くことができて、容易に作業領域を上方から外部と遮蔽することができる。
【００１７】
本発明に係るシェルターの更なる特徴構成は、前記上側遮蔽部材として、前記庇の下面部に設けられ、カーテンを巻き取った巻取り状態から、前記庇の下面部から前記荷台の上面にわたって、前記遮蔽状態における一対の前記扉体の間及び一対の前記遮蔽パネルの間を前記カーテンが覆う繰出し状態へと動作可能なロールカーテンを備える点にある。
【００１８】
つまり、遮蔽状態において、上記庇と上記遮蔽パネルとが作業領域を上方から外部と遮蔽するとしても、庇の下面部と荷台の上面との間で、かつ、一対の扉体の間及び一対の遮蔽パネルの間については外部に対して開放された状態となっており、その間については別途外部から遮蔽する必要がある。そこで、上記構成によれば、庇の下面部に設けたロールカーテンを繰出し状態とするのみで、庇の下面部から荷台の上面にわたって、遮蔽状態における一対の扉体の間及び一対の遮蔽パネルの間をカーテンが覆うことができる。また、不必要時には巻取り状態とすることができるから、荷台の作業位置への設置作業や扉体の動作などを邪魔することができる。これらにより、一層容易且つ確度高く作業領域を上方から外部と遮蔽することができる。
【００１９】
本発明に係るシェルターの更なる特徴構成は、前記下側遮蔽部材として、高さ位置が前記扉体の下辺部の高さ位置と略同一の床面部と前記作業位置における荷台に対して当接する前面部とを有するプラットホームと、平面視において前記プラットホームと前記荷台と前記扉体とから画定される隙間と略同型の部分を有する遮蔽パッドと、を備える点にある。
【００２０】
上記構成によれば、プラットホームの前面部が作業位置における荷台に対して当接することで荷台の搬出入口と建物の開口部との間の作業領域は、プラットホームにより下方からは概ね外部と遮蔽された状態となる。そして、プラットホームの床面部が扉体の下辺部の高さ位置と略同一の高さ位置にあることで、遮蔽状態にある扉体とプラットホームとの間には隙間が生じない。その結果、荷台を作業位置に設置して扉体を遮蔽状態まで動作させることにより、作業領域は、図５（ｂ）に示されるような荷台と扉体とプラットホームとの間に生じる隙間を除き、容易に下方から外部と遮蔽された状態にできる。さらに、上記構成では、プラットホームと荷台と扉体とから画定される隙間と略同型の部分を有する遮蔽パッドを備えるから、荷台と扉体とプラットホームとの間に生じる隙間を遮蔽パッドにより塞ぐことができる。このように、上記構成によれば、容易且つ確度高く作業領域を下方から外部と遮蔽することができる。
【００２１】
本発明に係るシェルターの更なる特徴構成は、前記遮蔽パッドは、前記扉体の前記戸尻側辺部における前記搬出入口側の下縁部にそれぞれ設けられている点にある。
【００２２】
上記構成によれば、扉を遮蔽状態へと動作させるに伴い、荷台と扉体とプラットホームとの間に生じる隙間を、扉体の戸尻側辺部における搬出入口側の下縁部に設けた遮蔽パッドにより塞ぐことができる。つまり、上記構成によれば、遮蔽パッドの設置作業を省くことができて、これにより、荷台を作業位置に設置して扉体を遮蔽状態まで動作させることにより作業領域を下方において外部と遮蔽することができるから、一層容易に作業領域を下方から外部と遮蔽することができる。
【００２３】
本発明に係るシェルターの使用方法の特徴構成は、
前記荷台を前記作業位置に設置し、
前記閉状態にある前記扉体を前記開状態へと開動作し、
前記開状態から前記遮蔽状態へと前記扉体を回転させて、前記作業領域を側方から外部と遮蔽し、
前記上側遮蔽部材により前記作業領域を上方から外部と遮蔽し、
前記下側遮蔽部材により前記作業領域を下方から外部と遮蔽する点にある。
【００２４】
つまり、上記構成のように本発明に係るシェルターを使用することにより、容易かつ確度高く作業領域を外部から遮蔽することができる。
【図面の簡単な説明】
【００２５】
【図１】シェルターの斜視図
【図２】開口部及び扉体の正面図
【図３】図２の部分拡大図
【図４】開口部及び扉体の側面断面図
【図５】開閉扉の動作を示す平面図
【図６】シェルターの使用状態を示す側面図
【図７】ロールカーテンの動作を示す正面図
【図８】シェルターの使用方法を示す平面図
【発明を実施するための形態】
【００２６】
図１は、空調を行う冷凍倉庫や食品加工工場などの建物１に対して設けた本発明の一実施形態に係るシェルター２を示す。シェルター２は、箱形の荷台１０の搬出入口１０ａと建物１の開口部３とが対向する作業位置に荷台１０を配置したときの搬出入口１０ａと開口部３との間の作業領域Ｓを外部から遮蔽するものである。このシェルター２は、開口部３に設けた一対の扉体５，５と、各扉体５，５に設けた遮蔽パネル６やロールカーテン７などの上方から作業領域Ｓを外部と遮蔽する上側遮蔽部材と、プラットホーム８や扉体５に設けたボトムパッド９などの下方から作業領域Ｓを外部と遮蔽する下側遮蔽部材と、を備える。以下に、各部の具体的構成について説明する。
【００２７】
なお、以下の説明においては、開口部３を基準として、「幅方向」、「上下方向」及び「前後方向」を定義する。即ち、「幅方向」は開口部３の開口面に平行な方向のうち、水平方向に沿う方向を意味し、「上下方向」は開口部３の開口面に平行な方向のうち、幅方向と直交する方向を意味し、「前後方向」は開口部３の開口面に対して垂直な方向を意味する。
【００２８】
まず、一対の扉体５，５について説明する。図１，２に示すように、一対の扉体５，５は、建物１の開口部３を塞ぐべく、開口部３の幅方向に並んで配置されている。図２に示すように、扉体５はそれぞれ、上下方向を回転軸に回転可能な支柱１１に連結したアーム１２と上辺部５ａの中間部において連結してある。そして、扉体５はアーム１２に対し、その連結部１２ａにおいて上下方向を軸として回転可能にしてある。図２，３に示すように、扉体５，５の上側に開口部３の幅方向に延びるレール１３を設けてあり、扉体５，５の上辺部５ａの戸先側辺部５ｂの側に設けた吊金具１４のフリーベア１４ａをこのレール１３に引っ掛けてある。なお、扉体５，５にはそれぞれ２つのハンドル部５ｃを設けてあり、このハンドル部５ｃにより後述する開閉動作などを行う。
【００２９】
このように扉体５，５を構成することで、支柱１１が回転するとともに支柱１１に連結してあるアーム１２が支柱１１を中心に回動することにより、扉体５における戸先側辺部５ｂがレール１３の形状に合わせて幅方向に沿って移動するとともにアーム１２との連結部１２ａにおいて扉体５が回転し、図５に示すような軌跡で扉体５，５が開閉を行うようにしてある。つまり、各扉体５，５は、アーム１２の回動に伴い、戸先側辺部５ｂが幅方向に沿ってスライドするとともに戸尻側辺部５ｄが開口部における開口面に対して垂直な前後方向に沿ってスライド可能なスライド式の開閉機構にしてある。
【００３０】
このため、各扉体５，５は、アーム１２を、開口部３の幅方向と平行な状態から開口部３の開口面に対して垂直となる状態まで回動させることで、戸先側辺部５ｂが幅方向に沿って幅方向の外側に向かってスライドするとともに戸尻側辺部５ｄが開口部における開口面に対して垂直な前後方向に沿って搬出入口側に向かってスライドする。これにより、一対の扉体５，５が開口部３を塞ぐ閉状態から、戸先側辺部５ｂが開口部３の側縁部３ａに位置するとともに扉体５が開口面に対して垂直となる状態で開口部３が開放される開状態へと動作可能となっている。
【００３１】
このようなスライド式の開閉機構をとっているため、図５（ａ）に示すように、例えばトラック１９に設けた荷台１０の搬出入口１０ａと建物１の開口部３とが対向する状態で荷台１０をプラットホーム８に近接させる作業位置に荷台１０が位置していても、荷台１０が邪魔になることなく扉体５，５を閉状態から開状態に動作させることができる。
【００３２】
なお、扉体５，５が閉状態から開状態に達すると図示しないロック機構が働き、フリーベア１４ａはレール１３に開状態における位置（つまり、レール１３の側縁部３ａ側の末端）で固定され、また、アーム１２に対して扉体５は回転不能となるようにしてある。なお、扉体５，５を開状態から閉状態に戻す際には、上記ロック機構を解除すればよい。
【００３３】
また、各扉体５，５は、図５（ｂ）に示すように、開状態において扉体５，５における戸先側辺部５ｂの側である支柱１１を支点として各扉体５，５が回動可能にしてある。これにより、開状態において支柱１１を支点として各扉体５，５を回動させることで、開状態から、戸尻側辺部５ｄが荷台１０の側面１０ｂに当接する状態で扉体５，５が側方から作業領域Ｓを外部と遮蔽する遮蔽状態へと動作可能にしてある。このように、扉体５，５を遮蔽状態にすることで作業領域Ｓを側方から外部と遮蔽することができる。なお、遮蔽状態において扉体５の角度が固定されるように、図示しない固定手段を設けてある。
【００３４】
また、扉体５の搬出入口側の面における戸尻側辺部５ｄ周縁には、上下方向に延びる弾性パッド５ｅを設けてある。これにより、荷台１０の側面１０ｂに凹凸があるような場合でも荷台１０の側面１０ｂに対し扉体５の戸尻側辺部５ｄが隙間なく当接し、また、戸尻側辺部５ｄを荷台１０の側面１０ｂに当接させても荷台１０の側面１０ｂが傷つくことがない。
【００３５】
扉体５の下部には下側に延びるシート５ｆを設けてあり、このシート５ｆが、一対の扉体５，５が閉状態にあるときは、開口部３と扉体５との間に隙間が生じないようにし、一対の扉体５，５が開状態又は遮蔽状態にあるときは、扉体５とプラットホーム８との間に隙間が生じないようにしてある。
【００３６】
また、開口部３には、扉体５，５に対して搬出入口側とは反対側に、開口部３を遮蔽する開閉可能な外気冷気遮蔽シート１５を設けてある。これにより、扉体５，５を開状態又は遮蔽状態としても、開口部３を通して建物１から冷気が漏れたり建物１の内部に外気が侵入することを確実に防ぐことができる。
【００３７】
次に、上側遮蔽部材について説明する。シェルター２では、上側遮蔽部材としての庇４と、一対の遮蔽パネル６，６と、庇４の下面部４ａに設けたロールカーテン７とを備える。
【００３８】
庇４は、開口部１の上方に配置されている。より具体的には、庇４は、幅方向に延在し、建物１の壁面における開口部３の上端縁に近接する位置から、前後方向における搬出入口側に突出する状態で設けられている。なお、その幅方向の長さは、少なくとも開口部３の幅方向の長さよりも長ければよく、前後方向への突出長さは、少なくとも遮蔽状態における扉体５の戸尻側辺部５ｄの開口面からの前後方向の距離よりも長ければよい。
【００３９】
図２，３，４に示すように遮蔽パネル６は、板状の部材であり、扉体５の上部から庇４の下面部４ａまで延びる状態で各扉体５，５の搬出入口側の面に設けられている。図４に示すように、扉体５に連結させる連結部６ａと、扉体５に対し前方に突出する突出板部６ｂと、突出板部６ｂの上部に設けたカバー６ｃとを有する。この遮蔽パネル６の突出板部６ｂ及びカバー６ｃにより、遮蔽状態において各扉体５，５の上辺部５ａと庇の下面部４ａとの間を塞ぐ役割を果たす。遮蔽パネル６を延在させる幅方向の範囲は、少なくとも、扉体５を遮蔽状態とするときに建物１の壁面（より詳しくは開口部３の上方の壁面）に遮蔽パネル６が干渉しない範囲とすると好適である。そして、本実施形態では、遮蔽パネル６は、幅方向において戸尻側辺部５ｄから吊金具１４に相当する位置まで延在している。これにより、扉体５が遮蔽状態にあるときには、遮蔽パネル６が、建物１の壁面から扉体５の戸尻側辺部５ｄに対応する位置まで延在した状態となり、各扉体５，５の上辺部５ａと庇４の下面部４ａとの間が好適に塞がれる。
【００４０】
図７に示すように、ロールカーテン７は、カーテン１６と、カーテン１６を巻き取る円筒状の巻取部１７と、を備える。カーテン１６は一端辺が巻取部１７に固定され、他端辺が巻取部１７よりも（さらに言えば、遮蔽状態における扉体５の戸尻側辺部５ｄの位置よりも）前後方向において開口部３側の固定位置１８に固定されている。その結果、巻取部１７がカーテン１６を巻き取った巻取状態では、カーテン１６は巻取部１７に完全に巻き取られず、固定位置１８から巻取部１７にかけての部分は庇４の下面部４ａに接した状態で残る。また、カーテン１６には、カーテン１６を繰出すための円筒状のウエイトバー１６ｂを設けてある。ウエイトバー１６ａは、巻取状態では巻取部１７に当接する位置に配置されており、ウエイトバー１６ａを下方に降ろすことにより、巻取部１７からカーテン１６が繰出される。そして、巻取部１７からカーテン１６が繰出されると、カーテン１６は繰出された分だけたわみ、一端辺が巻取部７ｂに固定されるとともに他端辺が固定位置１８に固定された状態でウエイトバー１６ａを最下点に垂れ下がる状態となる。なお、ウエイトバー１６ａは、カーテン１６に対して相対移動可能に構成されており、ウエイトバー１６ａを任意の方向に引き寄せることができるから、カーテン１６を任意の方向に繰り出すことができる。また、本実施形態におけるロールカーテン７において、カーテン１６は、少なくとも遮蔽状態にある一対の扉体５，５の間の幅と一対の遮蔽パネル６，６の間の幅のいずれよりも大きな幅長さで、且つ、遮蔽状態にある一対の扉体５，５の間と一対の遮蔽パネル６，６の間とをカバーする領域に設けられている。
【００４１】
このように構成することにより、図６，７に示すように、ロールカーテン７は、扉体５，５が遮蔽状態にあるときに、ウエイトバー１６ｂを、各扉体５，５の戸尻側辺部５ｄ，５ｄに当接する状態で荷台１０の上面１０ａまで引き寄せることにより、カーテン１６を巻き取った巻取り状態から、庇４の下面部４ａから荷台１０の上面１０ｃにわたって、遮蔽状態における一対の扉体５，５の間及び一対の遮蔽パネル６，６の間をカーテン１６が覆う繰出し状態へと動作可能になっている。即ち、扉体５，５が遮蔽状態にあるときに、巻取部１７からカーテン１６を繰出すと、図７に示すように、カーテン１６におけるウエイトバー１６ｂより固定位置１８側の部分のうち、遮蔽パネル６，６の戸尻側端縁６ｃ，６ｃよりも開口部３側にある部分については、遮蔽パネル６，６と庇４の下面部４ａとに挟まれた状態となったままで垂れ下がらないものの、遮蔽パネル６，６の戸尻側端縁６ｃ，６ｃよりもウエイトバー１６ｂ側にある部分については、遮蔽パネル６，６の戸尻側端縁６ｃ，６ｃ及び扉体５，５の戸尻側辺部５ｄ，５ｄに沿って垂れ下がって、一対の扉体５，５の間及び一対の遮蔽パネル６，６の間が覆われる。そして、ウエイトバー１６ｂを、各扉体５，５の戸尻側辺部５ｄ，５ｄに当接する状態で荷台１０の上面１０ｃまで引き寄せれば、庇４の下面部４ａから荷台１０の上面１０ｃにわたって、遮蔽状態における一対の扉体５，５の間及び一対の遮蔽パネル６，６の間をカーテン１６が覆う状態とすることができる。なお、図７では、カーテン１６と遮蔽パネル６との関係をわかりやすくするため、カバー６ｃと庇４の下面部４ａとの間にあえて隙間を生じさせて示してあるが、実際はカバー６ｃと庇４の下面部４ａとの間に隙間は生じないようにしてある。また、ロールカーテン７からカーテン１６を降ろす動作は、手動で行ってもよく、スイッチやリモコン操作により自動で行なえるように構成してもよい。
【００４２】
このように、扉体５，５を遮蔽状態にするとともに、ロールカーテン７を上記繰出し状態とすることにより、庇４と一対の遮蔽パネル６，６とで作業領域Ｓを上方から囲みつつ、庇４と一対の遮蔽パネル６，６とで囲みきれなかった部分（庇４の下面部４ａ、荷台１０の上面１０ｃ、遮蔽状態における一対の扉体５，５の戸尻側辺部５ｄ，５ｄ及び一対の遮蔽パネル６，６の戸尻側端縁６ｃ，６ｃとで画定される部分）をロールカーテン７が覆うから、上側遮蔽部材としての庇４と、一対の遮蔽パネル６，６と、ロールカーテン７とにより、作業領域Ｓを上方から外部と遮蔽することができる。
【００４３】
次に下側遮蔽部材について説明する。シェルター２では、下側遮蔽部材としてのプラットホーム８と、遮蔽パッド９とを備える。
【００４４】
図１に示すように、プラットホーム８は、直方体の台であり、荷台１０の搬出入口１０ａからの荷物の積み下ろし等の作業を行う作業台として機能するが、本実施形態のシェルター２では、作業領域Ｓを外部から遮蔽する下側遮蔽部材としても機能する。図５に示すように、プラットホーム８の前面部（搬出入口１０ａと対向する面）８ｂが作業位置における荷台１０（より詳しくは開口部３と対向する面）に対して当接する。より詳しくは、前面部８ｂには、荷台１０に対して当接させるボトムパッド８ｃを設けてあり、この前面部８ｂにおけるボトムパッド８ｃに対して、荷台１０を当接させる。また、プラットホーム８における床面部８ａの高さ位置は、扉体５のシート５ｆ（扉体の下辺部に相当）の高さ位置と略同一である。
【００４５】
プラットホーム８によれば、荷台１０が作業位置に位置し、扉体５が遮蔽状態にあるときに、扉体５とプラットホーム８との間に隙間が生じず、その結果、作業領域Ｓを下方から囲うことができるが、図５に示すように、平面視においてプラットホーム８と荷台１０と扉体５とから画定される隙間Ａが生じることとなり、作業領域Ｓを外部から完全には遮蔽できない。そこで、図１，２に示すように、扉体５，５の戸尻側辺部５ｄ，５ｄにおける搬出入口１０ａ側の下縁部にそれぞれ、隙間Ａと略同型となる部分を含む三角形状の遮蔽パッド９，９を設けてある。そして、図５に示すように、この遮蔽パッド９，９は、扉体５が遮蔽状態にあるときに、隙間Ａが遮蔽パッド９，９により塞がれる位置に配置されている。このため、荷台１０が作業位置に位置し、扉体５が遮蔽状態にあるときに、プラットホーム８では囲うことのできなかった隙間Ａを遮蔽パッド９，９により塞ぐことができ、これにより、下側遮蔽部材としてのプラットホーム８と遮蔽パッド９とにより、作業領域Ｓを下方から外部と遮蔽することができる。
【００４６】
以上のように、本実施形態に係るシェルター２によれば、一対の扉体５，５により作業領域Ｓを側方から外部と遮蔽することができ、上側遮蔽部材としての庇４と、一対の遮蔽パネル６，６と、ロールカーテン７とにより、作業領域Ｓを上方から外部と遮蔽することができ、下側遮蔽部材としてのプラットホーム８と遮蔽パッド９とにより、作業領域Ｓを下方から外部と遮蔽することができる。したがって、作業領域Ｓを外部から遮蔽することができる。
【００４７】
上記のようなシェルター２は図８に示すように使用できる。まず、図８（ａ）に示すように、作業者が荷台１０を備えるトラック１９を運転してその荷台１０を作業位置に設置する。そして、トラック１９からおりた作業者が、図８（ｂ）に示すように、閉状態にある扉体５，５を開状態へと開動作し、さらに、図８（ｃ）に示すように、開状態から遮蔽状態へと開閉扉４の扉体５を回転させて、側方から作業領域Ｓを外部から遮蔽する。また、この際、同時に、下側遮蔽部材としてのプラットホーム８と遮蔽パッド９とにより、作業領域Ｓは下方から外部と遮蔽される。
【００４８】
その後、図８（ｄ）に示すように、ロールカーテン７におけるウエイトバー１６ｂを、各扉体５，５の戸尻側辺部５ｄ，５ｄに当接する状態で荷台１０の上面１０ａまで引き寄せるようにしてカーテン１６を下側に降ろせば、庇４の下面部４ａから荷台１０の上面１０ｃにわたって、遮蔽状態における一対の扉体５，５の間及び一対の遮蔽パネル６，６の間をカーテン１６が覆う状態となり、その結果、上側遮蔽部材としての庇４と、一対の遮蔽パネル６，６と、ロールカーテン７とにより、作業領域Ｓが上方から外部と遮蔽される。これにより、作業領域Ｓが容易に外部から遮蔽される。
【００４９】
そして、図８（ｅ）に示すように、最後に、開口部３に設けた冷気外気遮蔽シート１５を全開にして、荷台１０から建物１への物品の搬出入を行う。
【００５０】
このように、本実施形態に係るシェルター２を使用して荷台１０を建物１の開口部３に対して設置することにより、容易かつ確実性高く作業領域Ｓを外部から遮蔽することができる。
【００５１】
〈別実施形態〉
上記の実施形態では、上側遮蔽部材として庇４と一対の遮蔽パネル６，６とロールカーテン７とを備えたものを示した。しかし、本発明の実施形態はこれに限定されず、作業領域Ｓを上方から外部と遮蔽することができるものであれば、特に限定されない。また、上記の実施形態で示した庇４、一対の遮蔽パネル６，６及びロールカーテン７のそれぞれの形状は適宜変更しても良い。
【００５２】
上記の実施形態では、下側遮蔽部材としてプラットホーム８と一対のボトムパッド９，９とを備えたものを示した。しかし、本発明の実施形態はこれに限定されず、作業領域Ｓを下方から外部と遮蔽することができるものであれば、特に限定されない。また、上記の実施形態で示したプラットホーム８と一対のボトムパッド９，９のそれぞれの形状は適宜変更しても良い。
【００５３】
本明細書において開示された実施形態は全ての点で例示であって、本発明の範囲はそれらによって限定されることはないと理解されるべきである。当業者であれば、本発明の趣旨を逸脱しない範囲で、適宜改変が可能であることを容易に理解できるであろう。従って、本発明の趣旨を逸脱しない範囲で改変された別の実施形態も、当然、本発明の範囲に含まれる。
【産業上の利用可能性】
【００５４】
本発明に係るシェルターとその使用方法は、種々の荷台と種々の建物の開口部との間の作業領域を遮蔽するのに用いることができる。
【符号の説明】
【００５５】
１                建物
２                シェルター
３                開口部
３ａ              側縁部
４                庇（上側遮蔽部材）
４ａ              庇の下面部
５                扉体
５ａ              上辺部
５ｂ              戸先側辺部
５ｄ              戸尻側辺部
６                遮蔽パネル（上側遮蔽部材）
７                ロールカーテン（上側遮蔽部材）
８                プラットホーム（下側遮蔽部材）
８ａ              床面部
８ｂ              前面部
９                遮蔽パッド（下側遮蔽部材）
１０              荷台
１０ａ            搬出入口
１０ｂ            側面
１０ｃ            上面
１６              カーテン
Ｓ                作業領域
Ｗ                幅方向
Ｆ                前後方向
【要約】
【課題】コスト上の問題、温度管理・防虫防塵対策上の問題を解消するシェルターを提供する。
【解決手段】シェルターは、一対の扉体（５，５）を備え、一対の扉体（５，５）は、戸先側辺部（５ｂ，５ｂ）が幅方向（Ｗ）に沿ってスライドするとともに戸尻側辺部（５ｄ，５ｄ）が開口部（３）における開口面に対して垂直な前後方向（Ｆ）に沿ってスライドすることで、一対の扉体（５，５）が閉状態から開状態へと動作可能であり、扉体（５，５）における戸先側（１１，１１）を支点として扉体（５，５）が回動することで、開状態から、戸尻側辺部（５ｄ，５ｄ）が荷台（１０）の側面（１０ｂ）に当接する状態で扉体（５，５）が側方から作業領域（Ｓ）を外部と遮蔽する遮蔽状態へと動作可能である。
【選択図】図５【図１】
0005840319.tif 000002
【図２】
0005840319.tif 000003
【図３】
0005840319.tif 000004
【図４】
0005840319.tif 000005
【図５】
0005840319.tif 000006
【図６】
0005840319.tif 000007
【図７】
0005840319.tif 000008
【図８】
0005840319.tif 000009